(57)【要約】【課題】天井への設置後でも天吊金具の部分の作業が容易であり、かつ天井裏からの異物の侵入を防止できる送風機を得ること。【解決手段】ケーシング２の両側面３から外側に向かって張り出した天吊金具４と、ケーシング２の下方端に着脱可能に設けられケーシング２の通気口を覆うグリル５とを備え、天吊金具４はケーシング２の下方端よりも外側に張り出しており、かつグリル５は、天吊金具４の外側先端よりも外側まで張り出している。【選択図】図２
2017150788.tif 000002
【特許請求の範囲】
【請求項１】
ケーシングの両側面から外側に向かって張り出した天吊金具と、前記ケーシングの下方端に着脱可能に設けられ前記ケーシングの通気口を覆うグリルとを備え、
前記天吊金具は前記ケーシングの下方端よりも外側に張り出しており、かつ前記グリルは、前記天吊金具の外側先端よりも外側まで張り出していることを特徴とする送風機。
【請求項２】
前記天吊金具は、建物側に設置された天吊ボルトを挿入可能な天吊ボルト固定部を備え、
前記天吊ボルト固定部が前記ケーシングの下方端よりも外側に位置していることを特徴とする請求項１に記載の送風機。
【請求項３】
前記グリルは、天井材の開口部に挿入される枠部と、前記開口部を覆う化粧板部とを有し、前記枠部と前記化粧板部との間の段差部は、前記天吊ボルト固定部よりも外側にあることを特徴とする請求項２に記載の送風機。
【請求項４】
前記グリルは、前記ケーシングの下方端と前記開口部の縁との間の隙間を塞ぐ隙間埋め板を備えることを特徴とする請求項１から３のいずれか１項に記載の送風機。
【発明の詳細な説明】
【技術分野】
【０００１】
本発明は、天井面に吸込口及び吐出口を設けた送風機に関する。
【背景技術】
【０００２】
従来、天井裏に設置し、吸込口及び吐出口を天井材開口部に設ける送風機では、送風機のケーシングと天井材開口部との間に隙間がないため、天井材施工後は天井裏へアクセスできず、施工時の天吊高さの調整又はメンテナンス時の製品取り外しの際には、その都度天井材を外さなければならない。
【０００３】
特許文献１には、天井面に吹出口を設ける浴室乾燥機において、温風吹出面と天井仕上げ面との間に隙間を設け、排気筒の後付けを可能とする工法が開示されている。
【先行技術文献】
【特許文献】
【０００４】
【特許文献１】特開平９−１９６４４９号公報
【発明の概要】
【発明が解決しようとする課題】
【０００５】
特許文献１では、温風吹出面と天井仕上げ面との間に隙間を設け、開口部を覆う大きさを有するグリル板を用いることにより、天井材据付後でも排気筒の連結作業を行うことができる。しかし、特許文献１の工法は排気筒の連結作業が目的であるため、温風吹出面が乾燥機本体よりも大きい。したがって、天吊金具の部分の作業は、温風吹出面によって妨害されるため、天井への設置後の作業が難しい構造となっている。加えて、温風吹出面と天井仕上げ面との隙間はグリルで覆われてはいるが、天井裏空間と室内空間とが繋がるため、天井裏からの隙間風の侵入及び粉塵又は虫といった異物の侵入により室内環境を悪化させるという課題があった。
【０００６】
本発明は、上記に鑑みてなされたものであって、天井への設置後でも天吊金具の部分の作業が容易であり、かつ天井裏からの異物の侵入を防止できる送風機を得ることを目的とする。
【課題を解決するための手段】
【０００７】
上述した課題を解決し、目的を達成するために、本発明は、ケーシングの両側面から外側に向かって延びた天吊金具と、ケーシングの下方端に着脱可能に設けられケーシングの通気口を覆うグリルとを備える。本発明では、天吊金具はケーシングの下方端よりも外側に張り出しており、かつグリルは、天吊金具の外側先端よりも外側まで張り出している。
【発明の効果】
【０００８】
本発明によれば、天井への設置後でも天吊金具の部分の作業が容易であり、かつ天井裏からの異物の侵入を防止できるという効果を奏する。
【図面の簡単な説明】
【０００９】
【図１】本発明の実施の形態１に係る送風機の斜視図
【図２】実施の形態１に係る送風機の設置時の天吊金具周辺の側面図
【図３】実施の形態１に係る送風機のグリルの斜視図
【発明を実施するための形態】
【００１０】
以下に、本発明の実施の形態に係る送風機を図面に基づいて詳細に説明する。なお、この実施の形態によりこの発明が限定されるものではない。
【００１１】
実施の形態１．
図１は、本発明の実施の形態１に係る送風機の斜視図である。図２は、実施の形態１に係る送風機の設置時の天吊金具周辺の側面図である。送風機１は、下面に通気口を備えた天井埋め込み型である。ここでの通気口は、吸気口及び吐出口の少なくとも一方である。送風機１は、直方体形状のケーシング２と、ケーシング２の対向する二つの側面３に設けられた天吊金具４と、室内から送風機１を見た場合の外観を損なわないように、送風機１の埋め込まれた天井面から露出する部分に相当する送風機１の下面の周囲に沿って設けられたグリル５とを有する。
【００１２】
天吊金具４は、建物側に設置された天吊ボルト６が挿入可能な天吊ボルト固定部４ａを備えている。ここでは天吊ボルト固定部４ａは切り欠き形状であるが、穴形状であっても良い。
【００１３】
グリル５は、枠部５ａの下端からフランジ状に張り出した化粧板部５ｂを備えている。枠部５ａと化粧板部５ｂとの境界部には段差部５ｃが形成されている。化粧板部５ｂは、天井材７の開口部７ａよりも大きく、開口部７ａを覆うことができる。
【００１４】
送風機１の側面３に取り付けられた天吊金具４をナット９ａとナット９ｂ，９ｃとで挟むことにより、ケーシング２と天吊ボルト６が固定されている。なお、図２では、ナット９ｂ，９ｃをダブルナットにして緩みを防止しているが、ナット９ｃを省略してシングルナットにしてもよい。グリル５は、ケーシング２を天井内部に固定した後、天井材７の開口部７ａを覆うようにケーシング２に設置される。
【００１５】
図２に示すように、実施の形態１においては、ケーシング２の下方端の間隔Ａ＜天吊ボルト６の据付間隔Ｂ＜天井材７の開口部長さＣとなっている。すなわち、天吊金具４はケーシング２の下方端よりも外側に張り出しており、かつグリル５は、天吊金具４の外側先端よりも外側まで張り出している。より詳細には、天吊ボルト固定部４ａがケーシング２の下方端よりも外側に位置している。また、段差部５ｃは、天吊ボルト固定部４ａよりも外側にある。したがって、天井材７の施工後でも天井材７の開口部７ａから送風機１の取り外し及び位置調整が可能である。
【００１６】
図３は、実施の形態１に係る送風機のグリルの斜視図である。グリル５は、ケーシング２の下方端と開口部７ａの縁との間の隙間を塞ぐ隙間埋め板８を備えている。隙間埋め板８を設けることにより、室内から天吊金具４が見えて美観が損なわれることを防ぐとともに、天井裏の空気及び粉塵が室内に侵入することを防止できる。
【００１７】
実施の形態１に係る送風機１は、ケーシング２にグリル５が着脱自在で、かつ天吊金具４がケーシング２の下方端よりも外側に張り出しているので、グリル５をケーシング２から取り外すと、天吊金具４へのアクセスが容易になり、設置後の天吊金具４の作業が容易となる。また、グリル５が天吊金具４よりも外側まで張り出しているので、図２に示すように、化粧板部５ｂが天井材７の表面に重なり、天井裏からの異物の侵入を防止できる。
【００１８】
以上のように、実施の形態１に係る送風機１は、天井への設置後でも天吊金具４の部分の作業が容易であり、かつ天井裏からの異物の侵入を隙間埋め板８で防止できる。
【００１９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２０】
１  送風機、２  ケーシング、３  側面、４  天吊金具、５  グリル、６  天吊ボルト、７  天井材、７ａ  開口部、８  隙間埋め板、９ａ，９ｂ，９ｃ  ナット。
【図１】
2017150788.tif 000003
【図２】
2017150788.tif 000004
【図３】
2017150788.tif 000005